(57)【要約】【課題】ターゲットとする魚の海中における生息層や遊泳層の探知が容易であり、かつ、探知した生息層や遊泳層に魚釣り用の仕掛けを配置して保持することが容易な釣り用錘を提供することを目的とする。【解決手段】浮力体２を介在させて長手方向に一定距離離反して配置された一対の錘部材３，４とからなる釣り用錘１を基本として提供する。また、浮力体２と、浮力体２の長手方向両端部に配置された一対の錘部材３，４と、浮力体２及び錘部材３，４を長手方向に貫通するチューブ５とからなる釣り用錘、略円柱状の浮力体２と、浮力体２の長手方向両端部に配置された一対の略円錐状又は略砲弾状の錘部材３，４と、浮力体２及び錘部材３，４を長手方向に貫通する釣り糸挿通用のチューブ５と、錘部材３，４と浮力体２を一体に被覆する被覆材６とからなる釣り用錘１を提供する。【選択図】図３
2010178696.tif 000002
【特許請求の範囲】
【請求項１】
浮力体を介在させて長手方向に一定距離離反して配置された一対の錘部材とからなることを特徴とする釣り用錘。
【請求項２】
浮力体と、浮力体の長手方向両端部に配置された一対の錘部材と、浮力体及び錘部材を長手方向に貫通するチューブとからなることを特徴とする釣り用錘。
【請求項３】
略円柱状の浮力体と、浮力体の長手方向両端部に配置された一対の略円錐状又は略砲弾状の錘部材と、浮力体及び錘部材を長手方向に貫通する釣り糸挿通用のチューブと、錘部材と浮力体を一体に被覆する被覆材とからなることを特徴とする釣り用錘。
【請求項４】
チューブを一対の錘部材からそれぞれ一定長さ突出させてなる請求項２又は３記載の釣り用錘。
【請求項５】
チューブを一対の錘部材からそれぞれ一定長さ突出させるとともに、一方の錘部材からのチューブの突出長さを他方の錘部材からの突出長さより長くした請求項２又は３記載の釣り用錘。
【請求項６】
一方の錘部材の重量を他方の錘部材の重量よりも重くした請求項５記載の釣り用錘。
【請求項７】
一対の錘部材の重量を略同じ重量とした請求項１，２，３，４又は５記載の釣り用錘。
【請求項８】
浮力体を発泡スチロールから形成した請求項１，２，３，４，５，６又は７記載の釣り用錘。
【発明の詳細な説明】
【技術分野】
【０００１】
本発明は、ターゲットとする魚の海中における生息層や遊泳層の探知が容易であり、かつ、探知した生息層や遊泳層に魚釣り用の仕掛けを配置して保持することが容易な釣り用錘に関するものである。
【背景技術】
【０００２】
釣り用錘の目的は、餌やルアー（疑似餌）が装着された仕掛けをターゲットとする魚の生息層や遊泳層まで沈めることにあり、又投げ釣りにおける飛距離を延ばすためにも重要な働きをする。
【０００３】
従来の一般的な釣り用錘としては、釣り糸に取り付けるための切り割り部を形成した形の鉛錘が知られている。この鉛錘は、切り割り部に釣り糸を差し入れた後、鉛玉の側部を強押圧し（かみつぶし）、切り割り部により釣り糸を挟み込むことによって釣り糸に装着するものであって、浮力の調整は専ら鉛玉の大きさや個数を変えることによって行なわれている。そして、近時は切り割り部への挟み込みによって釣り糸を傷めることがないように、硬化時に弾力性を有する弾性物質と、タングステン粉末とからなり、硬化前の物質にタングステン粉末を混合した後に硬化成形するとともに、釣り糸の径よりも幅狭状のスリットを形成した釣り用錘も提供されている（特許文献１）。
【０００４】
また、投げ釣り時の飛距離を延ばし、ルアーや餌の沈降速度を調整補助する釣り用錘として、水よりも比重が軽い材料で形成した本体に、水よりも比重が重い材料で形成した調整部材を取付けて一体化し、全体としての比重が水よりも１．５〜４．５倍重く形成した釣り用錘も提供されている（特許文献２）。
【先行技術文献】
【特許文献】
【０００５】
【特許文献１】特開２００２−８４９４８
【特許文献２】特開２０００−１８９０２０
【発明の概要】
【発明が解決しようとする課題】
【０００６】
魚は種類や潮流の流れ、天候、季節等によって、生息層や遊泳層を異にしているため、釣果を揚げるためには、ターゲットとする魚の生息層や遊泳層に仕掛けを沈めて保持する必要がある。例えば、水底に生息する魚を狙う場合に、仕掛けを水面近くに保持しても釣果は得られない。そのため、釣り用錘を使用して沈み具合や潮流による流れ等を考慮して、仕掛けをターゲットとする魚の生息層や遊泳層に沈めるとともに、竿やリールの操作によって生息層や遊泳層内で餌を操作するようにしている。
【０００７】
具体的には、図６に示す釣りを行う水域において、水面１１と水底１２との間を適当数、図示例では水面１１直下のＡ層〜水底１２直上のＧ層の７つの層に分割し、このＡ層〜Ｇ層の７つの層のどの層にターゲットとする魚が生息し、或いは遊泳しているかを探知する必要がある。例えば、図示例ではＥ層にターゲットとするアジ１３が遊泳しているが、天候や季節、潮流等によってこの生息層や遊泳層は変化するため、釣りを開始した時点では釣り人はこのことを知ることができない。そこで、アジ１３の生息層や遊泳層と予測される層、例えばＣ層からＧ層の範囲に仕掛けを順次沈めて、それらの層に保持し、ターゲットとするアジ１３の釣りを行う日の実際の生息層や遊泳層を探知する。その結果、Ｅ層でアジ１３をヒットすれば、その日のアジ１３の生息層や遊泳層はＥ層であるため、以後Ｅ層に仕掛けを沈めて保持し、仕掛けをＥ層内で動作させれば釣果を得ることができるのである。
【０００８】
そして、これらのＡ層〜Ｇ層の設定は、釣り用錘によって仕掛けが沈降していく時間を釣り人がカウントすることによって、釣り人各自が設定して探知する必要がある。目的とする生息層や遊泳層に迅速に沈めるためには、又潮流の流れの影響を受けないためには、釣り用錘は重めの方がよい。更に、投げ釣りにおいても釣り用錘は重めの方が飛距離が延びる。水中において、釣り用錘は自重により潮流の流れの影響を受けながら、鉛直方向に落下しようとするものであり、目的とする生息層や遊泳層であるＥ層を最短距離、即ち最短時間で通過することとなる。そのため、目的とする生息層や遊泳層であるＥ層を探ったり、保持するための操作においては、釣り用錘が重いほどその操作が難しくなり、Ｅ層を外れてしまうこととなる。
【０００９】
また、単にＥ層を探知するだけでは釣果を揚げることはできず、更にＥ層内において、釣り竿やリールの操作によって餌やルアーを動作させてアジ１３の注意を引く必要がある。この動作中においても仕掛けは最短距離、即ち最短時間で移動するため、動作中にＥ層を外れてしまうことが多い。これらのことが釣りに不慣れな人が思うように釣果を揚げられない大きな原因となっている。
【００１０】
一方、水中における操作のためには、釣り用錘は軽めの方が操作が容易といえる。しかしながら、軽すぎると仕掛けを沈めるという釣り用錘としての本来的機能を果たせないし、潮流の流れの影響を受けたり、投げ釣りにおける飛距離が出なかったりする。従来の特許文献１に示すような切り割り部を形成した形の鉛錘を使用する場合においても、その個数や重さの選択が困難であり、経験と習熟を必要とし、釣りを気楽に楽しめない原因ともなっている。
【００１１】
また、特許文献２に示す釣り用錘は、投げ釣りにおいて仕掛けが空中を飛んでいる間はそれなりの重さを持った錘として飛距離の向上に役立つとともに、着水後には軽めの錘として作用し、仕掛けの沈降速度を適切に調整することを目的とするものであるが、水中においては鉛直方向に落下し、目的とする生息層や遊泳層を最短距離で通過することに相違ない。そのため、その個数や重さの選択が困難であり、目的とする生息層や遊泳層を探ったり、保持するための操作には経験と習熟を必要とし、釣りを気楽に楽しめない原因ともなっていることには相違ない。
【００１２】
そこで、本発明は従来の釣り用錘のように水中を鉛直方向に沈降するのではなく、水中を斜め方向に沈降することにより、従来の同じ重さの釣り用錘に比してターゲットとする魚の生息層や遊泳層を通過する距離と時間を長くして、目的とする生息層や遊泳層の探知が容易であり、かつ、探知した生息層や遊泳層に魚釣り用の仕掛けを配置して保持することが容易であるとともに、投げ釣りに適した重さを有する釣り用錘を提供することを目的としている。
【課題を解決するための手段】
【００１３】
本発明はその目的を達成するために、浮力体を介在させて長手方向に一定距離離反して配置された一対の錘部材とからなる釣り用錘を基本として提供する。また、浮力体と、浮力体の長手方向両端部に配置された一対の錘部材と、浮力体及び錘部材を長手方向に貫通するチューブとからなる釣り用錘、略円柱状の浮力体と、浮力体の長手方向両端部に配置された一対の略円錐状又は略砲弾状の錘部材と、浮力体及び錘部材を長手方向に貫通する釣り糸挿通用のチューブと、錘部材と浮力体を一体に被覆する被覆材とからなる釣り用錘を提供する。
【００１４】
更に、チューブを一対の錘部材からそれぞれ一定長さ突出させてなる構成、チューブを一対の錘部材からそれぞれ一定長さ突出させるとともに、一方の錘部材からのチューブの突出長さを他方の錘部材からの突出長さより長くした構成、一方の錘部材の重量を他方の錘部材の重量よりも重くした構成、一対の錘部材の重量を略同じ重量とした構成、及び浮力体を発泡スチロールから形成した構成を提供する。
【発明の効果】
【００１５】
上記構成の本発明によれば、浮力体を介在させて長手方向に一定距離離反させて配置した一対の錘部材を有するため、水中を斜め方向に沈降することとなり、従来の同じ重さの釣り用錘に比してターゲットとする魚の生息層や遊泳層を通過する距離と時間を長くすることができる。また、錘部材から突出させたチューブが方向性を定める舵としての役割を果たすため、一定角度で安定して沈降し、かつ、釣り糸を引き上げることにより、略同一の軌跡をたどって上昇する。さらに、一方の錘部材の重さを他方の錘部材よりも重くすることにより、斜め方向に沈降する角度を浅く調節することができる。その結果ターゲットとする魚の生息層や遊泳層を通過する距離と時間を長くすることができ、目的とする生息層や遊泳層の探知が容易であり、かつ、探知した生息層や遊泳層に魚釣り用の仕掛けを配置して保持することが容易である。
【００１６】
また、浮力体の存在によって総重量を重くすることができ、釣り用錘の重量としては、潮流に流されない重さと迅速な沈降を実現するとともに、投げ釣りにも適した最適の重さを実現することができる。その結果、飛距離を延ばすことができ、釣り人の位置から釣れる範囲が飛躍的に広がる。
【図面の簡単な説明】
【００１７】
【図１】本発明にかかる釣り用錘の実施形態を示す斜視図。
【図２】本発明にかかる釣り用錘の実施形態を示す正面図。
【図３】本発明にかかる釣り用錘の実施形態を示す中央縦断面図。
【図４】本発明にかかる釣り用錘を使用した仕掛けの要部説明図。
【図５】本発明にかかる釣り用錘の沈降状態を示す作用説明図。
【図６】水中における生息層や遊泳層の説明図。
【発明を実施するための形態】
【００１８】
本発明にかかる釣り用錘は、アジ、ハマチ、メバル、カサゴ等のルアーフィッシングに使用して効果が大きいが、釣り用錘を使用して行う釣り全般に適用することができる。以下図面に基づいて本発明にかかる釣り用錘の実施形態を説明する。図１は本発明にかかる釣り用錘の実施形態を示す斜視図、図２はその正面図、図３はその中央縦断面図である。図において１は釣り用錘であり、浮力体２を介在させて一対の錘部材３，４が一定距離離反して配置されている。
【００１９】
浮力体２は略円柱状に形成された発泡スチロール等の浮力の大きい材質から形成されており、この浮力体２の長手方向両端部には鉛等の重力部材からなる略円錐状又は略砲弾状の一対の錘部材３，４が配置されている。よって、一対の錘部材３，４は浮力体２を間に介在させて一定距離だけ離反している。この浮力体２と錘部材３，４を長手方向に貫通して可撓性を有するチューブ５が挿通されるとともに、浮力体２と錘部材３，４は一体として液体ゴム等の被覆材６によって被覆されている。なお、図において矢印Ｒ，Ｆは、釣り用錘１を使用する場合に装着する方向を示すものであり、矢印Ｒは釣り竿（図示略）方向を示し、矢印Ｆは仕掛け方向を示す。
【００２０】
浮力体２は、一対の錘部材３，４を一定距離だけ離反して配置するとともに、同一重量の従来の釣り用錘に比して、釣り用錘１の浮力を増加させる働きをするものであり、浮力体２と錘部材３，４の重量比は略１：７〜１４の範囲とすることが好ましい。浮力体２は実施形態では略円柱状としたが、錘部材３，４を一定距離離反させて配置することができてチューブ５を挿通することができれば、その形状に特に限定はない。
【００２１】
錘部材３，４は実施形態では同一重量、同一形状としたが、釣り竿方向に位置するように装着する一方の錘部材３の重量を、仕掛け方向に位置するように装着する他方の錘部材４よりも重くしてもよい。このように、釣り竿方向に位置する一方の錘部材３の重量を他方の錘部材４より重くすることにより、後述するように沈降する際の釣り用錘１の角度がより浅くなる。また、仕掛け方向に位置する他方の錘部材４の重量を一方の錘部材３より重くすると、釣り用錘１は他方の錘部材４の重量によって鉛直方向に沈降することとなるため、本発明の目的を達成できない。なお、錘部材３，４の形状は水の抵抗が少なくチューブ５を挿通することができればよく、その形状に特に限定はない。
【００２２】
チューブ５は釣り糸を挿通して、釣り用錘１を釣り竿に装着するための部材であり、釣り糸を挿通するために０．８ｍｍ以上の内径を有するとともに、錘部材３，４及び浮力体２を貫通して、錘部材３，４から一定長さだけ突出させている。そして、釣り竿方向に位置する一方の錘部材３から突出しているチューブ５ａ部の長さを、仕掛け方向に位置する他方の錘部材４から突出しているチューブ５ｃ部の長さより長く形成している。このチューブ５ａ部は釣り用錘１が沈降する方向を定める舵取りの役割を果たすものである。なお、５ｂ部は、チューブ５の内、錘部材３，４及び浮力体２に貫通している部分のチューブである。
【００２３】
チューブ５ａ部，５ｃ部の突出長さは適宜でよいが、錘部材３，４が同一重量の場合は、チューブ５ａ部の長さを略３５ｍｍ程度、チューブ５ｃ部の長さを略５ｍｍ程度とするのが適当である。また、一方の錘部材３の重量を他方の錘部材４より重くした場合は、釣り用錘１の沈降する方向性を定めるために、チューブ５ａ部の長さを１００ｍｍ以上とすることが好ましい。
【００２４】
被覆材６は錘部材３，４及び浮力体２を一体に被覆するとともに、使用時の衝撃を吸収するためのものであり、硬化した際に柔軟性があるものが好ましく、実施形態では水性の液体ゴムを被覆した上に、油性の液体ゴムを被覆した。
【実施例１】
【００２５】
長手方向中心部に貫通孔を形成した直径７ｍｍ、高さ３０ｍｍの円柱状の硬質の発砲スチロールからなる浮力体２の貫通孔に、長さ８６．４ｍｍ、内径０．８ｍｍ、外径１．７ｍｍの可撓性を有するチューブ５を挿通した。次に中心部に貫通孔を形成した直径７ｍｍ、高さ８．２ｍｍ、重さ１．７５ｇの砲弾状の一対の錘部材３，４を、その頂部が外向けに位置するように貫通孔を浮力体２から突出したチューブ５の端部に挿通して、浮力体２の両端部に接着した。その後、錘部材３，４及び浮力体２の部分を水性の液体ゴムに二度ドブ漬けした後、油性の液体ゴムに二度ドブ浸けして、乾燥させて釣り用錘１を製作した。釣り用錘１の長さＬは８６．４ｍｍ、チューブ５ａの長さＬ１は３５ｍｍ、錘部材３，４の長さＬ２は８．２ｍｍ、浮力体２の長さＬ３は３０ｍｍ、チューブ５ｃの長さＬ４は５ｍｍとした。
【実施例２】
【００２６】
実施例１の錘部材３，４をそれぞれ３．５ｇとした以外は実施例１と同一の構成とした。
【実施例３】
【００２７】
実施例１の錘部材３，４をそれぞれ５．２５ｇとした以外は実施例１と同一の構成とした。
【実施例４】
【００２８】
実施例１の錘部材３の重さを３．５ｇ、錘部材４の重さを１．７５ｇとし、チューブ５ａの長さを１００ｍｍ、チューブ５ｃの長さを５ｍｍとした以外は実施例１と同一の構成とした。
【００２９】
かかる構成の釣り用錘１の使用方法を以下に説明する。図４に示すように釣り竿（図示略）から延伸した釣り糸７をチューブ５ａからチューブ５ｂを介してチューブ５ｃに挿通し、ヨリモドシ８に結着する。そして、先端部にルアー（擬餌針）１０を固着した仕掛け９をヨリモドシ８に結着する。使用に際しては、浮力体２を介在して一対の錘部材３，４が一定間隔で離反しているため、水中を沈降する際には、図５の矢印Ｙに示すように斜め方向に一定角度αで傾斜して沈降してゆく。その際チューブ５ａが方向性を定める舵としての役割を果たすため、一定角度で安定して沈降し、かつ、釣り糸７を引き上げることにより、略同一の軌跡をたどって上昇する。そのため、図５に示すターゲットとする魚の生息層や遊泳層であるＥ層において、従来のように矢印Ｚに示すように鉛直方向に最短距離、即ち最短時間で沈降する釣り用錘に比べて、同一の生息層や遊泳層に長く止まって沈降、或いは上昇するため、目的とする生息層や遊泳層の探知が容易であり、かつ、探知した生息層や遊泳層に魚釣り用の仕掛け９を保持して動作させることが容易である。
【００３０】
また、釣り竿方向に位置する一方の錘部材３の重さを仕掛け方向に位置する他方の錘部材４よりも重くすることにより、矢印Ｙの角度αをより浅く設定することが可能である。しかも釣り用錘１の重量としては、潮流に流されない重さと迅速な沈降を実現するとともに、投げ釣りにも適した最適の重さを実現することができる。
【産業上の利用可能性】
【００３１】
本発明にかかる釣り用錘によれば、水中を斜め方向に沈降することにより、従来の同じ重さの釣り用錘に比してターゲットとする魚の生息層や遊泳層を通過する距離と時間を長くして、目的とする生息層や遊泳層の探知が容易であり、かつ、探知した生息層や遊泳層に魚釣り用の仕掛けを配置して保持することが容易であるとともに、浮力体の存在によって総重量を重くすることができ、投げ釣りの距離を延ばすことができる。
【符号の説明】
【００３２】
１…釣り用錘
２…浮力体
３，４…錘部材
５，５ａ，５ｂ，５ｃ…チューブ
６…被覆材
７…釣り糸
８…ヨリモドシ
９…仕掛け
１０…ルアー
【図１】
2010178696.tif 000003
【図２】
2010178696.tif 000004
【図３】
2010178696.tif 000005
【図４】
2010178696.tif 000006
【図５】
2010178696.tif 000007
【図６】
2010178696.tif 000008